(57)【要約】【課題】２つの被連結体を１８０度展開した後、２つの被連結体からのヒンジ部の突出がないヒンジ構造体及びこれを用いた折り畳み構造体を提供すること。【解決手段】接合側の端部には、接合端から内側に切り欠かれた第１切欠部が形成された第１被連結体と、接合側の端部には、該第１切欠部に対応する位置であって、接合端から内側に切り欠かれた第２切欠部が形成された第２被連結体と、第１切欠部を横断する第１固定ピンと、第２切欠部を横断する第２固定ピンと、該第１固定ピンが遊嵌する第１ピン孔と該第２固定ピンが遊嵌する第２ピン孔を備える第１固定ピンと該第２固定ピンを連結する連結体と、を有するヒンジ構造体【選択図】図１
2018013178.tif 000002
【特許請求の範囲】
【請求項１】
接合側の端部には、接合端から内側に切り欠かれた第１切欠部が形成された第１被連結体と、
接合側の端部には、該第１切欠部に対応する位置であって、接合端から内側に切り欠かれた第２切欠部が形成された第２被連結体と、
該第１被連結体内に固定され該第１切欠部を横断する第１固定ピンと、
該第２被連結体内に固定され該第２切欠部を横断する第２固定ピンと、
該第１固定ピンが遊嵌する第１ピン孔と該第２固定ピンが遊嵌する第２ピン孔を有し、  該第１ピン孔に該第１固定ピンが回転自在に挿通され、該第２ピン孔に該第２固定ピンが回転自在に挿通され、該第１固定ピンと該第２固定ピンを連結する連結体と、を有することを特徴とするヒンジ構造体。
【請求項２】
該第１被連結体及び該第２被連結体は、板状体であることを特徴とする請求項１記載のヒンジ構造体。
【請求項３】
該第１被連結体及び該第２被連結体は、略板状体の反接合端からくり抜かれた差し込み溝を有する樹脂製の枠体であることを特徴とする請求項１記載のヒンジ構造体。
【請求項４】
該第１被連結体と該第２被連結体は折り重ねた状態から該第１被連結体と該第２被連結体が１８０度、展開する方向に回転自在であることを特徴とする請求項１〜３のいずれか１項に記載のヒンジ構造体。
【請求項５】
該連結体の該第１固定ピンと該第２固定ピンを結ぶ方向の長さ寸法は、該第１被連結体の最大厚みと該第２被連結体の最大厚みの合計寸法より小であることを特徴とする請求項１〜４のいずれか１項に記載のヒンジ構造体。
【請求項６】
該連結体の該第１固定ピンと該第２固定ピンを結ぶ方向と直交する方向の長さは、該第１被連結体の最大厚み又は該第２被連結体の最大厚みより小であることを特徴とする請求項１〜５のいずれか１項に記載のヒンジ構造体。
【請求項７】
該連結体は、該第１被連結体と該第２被連結体を折り重ねた際、該第１被連結体と該第２被連結体で形成される先端の接合端面から突出しないことを特徴とする請求項１〜６のいずれか１項に記載のヒンジ構造体。
【請求項８】
該連結体は、該第１被連結体と該第２被連結体を該第１被連結体と該第２被連結体がなす角度が１８０度となるように展開した際、該第１被連結体と該第２被連結体で形成される面から突出しないことを特徴とする請求項１〜６のいずれか１項に記載のヒンジ構造体。
【請求項９】
該第１被連結体は、該連結体に対して、回転自在であり、該連結体を介して、該第２固定ピンを支点に回転自在であることを特徴とする請求項１〜８のいずれか１項に記載のヒンジ構造体。
【請求項１０】
該第２被連結体は、該連結体に対して、回転自在であり、該連結体を介して、該第１固定ピンを支点に回転自在であることを特徴とする請求項１〜８のいずれか１項に記載のヒンジ構造体。
【請求項１１】
該請求項１又は２に記載のヒンジ構造体を含むことを特徴とする折り畳み構造体。
【請求項１２】
該請求項３に記載のヒンジ構造体を含むことを特徴とする折り畳み構造体。
【請求項１３】
第１側板と第２側板の２枚を別途、準備し、該第１側板を該第１被連結体に嵌め込み、該第２側板を該第２被連結体に嵌め込むことで形成される折り畳み側板を有することを特徴とする請求項１２に記載の折り畳み構造体。
【請求項１４】
４つの側板が側端部において折り畳み自在に接合された側板枠において、該折り畳み側板を対峙する位置に配置したことを特徴とする請求項１３記載の折り畳み構造体。
【請求項１５】
収納箱兼用折り畳み陳列台であることを特徴とする請求項１２〜１４のいずれか１項に記載の折り畳み構造体。
【発明の詳細な説明】
【技術分野】
【０００１】
本発明は、２枚の被連結体を折り重ねた際、先端の端面から連結体が突出せず、２枚の被連結体が１８０度展開した際、２枚の被連結体で形成される面から連結体が突出しないヒンジ構造体及びこれを用いた折り畳み構造体に関する。
【背景技術】
【０００２】
従来、収納箱兼用折り畳み陳列台は、例えば、側板と底板とからなり、４つの側板を内側に折り畳むものが知られている。収納箱兼用折り畳み陳列台は、例えば、陳列する商品などを収納箱の中に入れて運搬し、陳列場所で収納箱の中の商品を取り出し、収納箱を上下逆さにして、陳列台とし、陳列面に商品を載せて使用する。陳列が終了すると、再び収納箱の中に商品を入れて保管する。
【０００３】
特開２０１３-３１５４７号公報には、陳列商品が載置される平面視が長方形の天板１と、４つの側板２とから構成される硬質プラスチック製のボックス状の収納箱兼用折り畳み商品陳列台であって、少なくとも側板２の裏面はリブ構造であり、天板１と４つの側板２とは、それぞれ係合凹部２１３及び係合凸部１４２で係合され、天板１と大側板２ａ、２ｂの上下方向における係合位置は、天板１と小側板２ｃ、２ｄの上下方向における係合位置より天板１側にあり、天板１に大側板２ａ、２ｂ及び小側板２ｃ、２ｄを順に折り重ねるものが開示されている。
【０００４】
特開２０１３-３１５４７号公報の収納箱兼用折り畳み商品陳列台は、折り畳みの際、天板と側板とは取り外さない。そして、収納箱で使用する際、天板（底板）と側板の位置関係が一定であり、底上げのような使用方法はできない。また、数個の係止横棒にフック部材が係合するヒンジ構造からして、収納箱の収納容積は大である。従って、比較的小さな収納箱であって、底板（天板）を取り外せ、４つの側板で形成される側板枠体を折り畳める収納箱兼用折り畳み商品陳列台の開発が望まれていた。このような、収納箱兼用折り畳み商品陳列台であれば、底板の上下方向における設置を替えることができる。
【０００５】
一方、携帯電話で代表される折り畳み電子機器には、図２１に示すような、２枚の板状体をヒンジで接合する折り畳み構造が知られている（特開平７−１１８３１号公報の図４）。このような折り畳み構造に使用されるヒンジ構造は、一方の被連結体の固定支軸に対して、他方の被連結体を回転自在に取り付けるものであり、２つの側板を折り畳む、折り畳み収納箱や折り畳み陳列台にも広く適用されている。
【先行技術文献】
【特許文献】
【０００６】
【特許文献１】特開２０１３-３１５４７号公報（請求項１、図６）
【特許文献２】特開平７−１１８３１号公報（図４）
【発明の開示】
【発明が解決しようとする課題】
【０００７】
しかしながら、特開平７−１１８３１号公報のヒンジ構造１００は、図２２に示すように、折り畳んだ際、端部のヒンジ部１０４は、２つの被連結体１０１、１０２の端部１０３から符号ｍ分が、突出する。また、図２３に示すように、２つの被連結体１０１、１０２を展開して、２つの被連結体１０１、１０２の板面１０５、１０６を面一とする際、ヒンジ部１０４は、やはり板面１０５、１０６から外側へ符号ｎ分、突出する。
【０００８】
このようなヒンジ構造を折り畳み収納箱に適用した場合、２つの被連結体１０１、１０２を展開して使用する状態では、側面に突出する部分が邪魔となり、横並びに接して並べることができない。また、意匠上、好ましくなく、陳列の演出効果を低減させる。
【０００９】
従って、２つの被連結体を展開した状態において、平面視で２つの被連結体からのヒンジ部の突出がない収納箱兼用折り畳み陳列台の開発が望まれていた。
【００１０】
従って、本発明の目的は、２つの被連結体を１８０度展開した後、２つの被連結体からのヒンジ部の突出がないヒンジ構造体及びこれを用いた折り畳み構造体を提供することにある。
【課題を解決するための手段】
【００１１】
かかる実情において、本発明者は鋭意検討を行った結果、それぞれの被連結体の端部切欠部を横断するように固定ピンを取り付け、２つの固定ピン間を繋ぎ且つ固定ピンと遊嵌する連結体を付設すれば、折り畳み後も、２つの被連結体からのヒンジ部の突出がなく、２つの被連結体を展開した後も、２つの被連結体からのヒンジ部の突出がないヒンジ構造体及びこれを用いた折り畳み構造体が得られることを見出し、本発明を完成するに至った。
【００１２】
すなわち、本発明は、接合側の端部には、接合端から内側に切り欠かれた第１切欠部が形成された第１被連結体と、接合側の端部には、該第１切欠部に対応する位置であって、接合端から内側に切り欠かれた第２切欠部が形成された第２被連結体と、該第１被連結体内に固定され該第１切欠部を横断する第１固定ピンと、該第２被連結体内に固定され該第２切欠部を横断する第２固定ピンと、該第１固定ピンが遊嵌する第１ピン孔と該第２固定ピンが遊嵌する第２ピン孔を有し、該第１ピン孔に該第１固定ピンが回転自在に挿通され、該第２ピン孔に該第２固定ピンが回転自在に挿通され、該第１固定ピンと該第２固定ピンを連結する連結体と、を有することを特徴とするヒンジ構造体を提供するものである。
【００１３】
また、本発明は、前記ヒンジ構造体を含むことを特徴とする折り畳み構造体を提供するものである。
【発明の効果】
【００１４】
本発明によれば、第１被連結体と第２被連結体を展開した後、第１被連結体と第２被連結体からのヒンジ部の突出がないヒンジ構造体及びこれを用いた折り畳み構造体を提供できる。このため、収納箱の場合、第１被連結体と第２被連結体の板面は面一となって突出部がなく、複数個の横並びの密な設置が可能となる。また、突出部に、予期しない外力が直接作用することがなく、破損を免れる。また、突出部がないため、意匠性に優れ、陳列の演出を高めることができる。
【図面の簡単な説明】
【００１５】
【図１】本発明の第１の実施の形態におけるヒンジ構造体の斜視図である。
【図２】図１のヒンジ構造体の断面図である。
【図３】図１のヒンジ構造体の分解斜視図である。
【図４】図１のヒンジ構造体の一部が組み付けられた分解斜視図である。
【図５】図１のヒンジ構造体の他の斜視図である。
【図６】図５の平面図である。
【図７】図１のヒンジ構造体の動きを説明する図である。
【図８】図１のヒンジ構造体の折り畳まれた状態の斜視図である。
【図９】図８のヒンジ構造体の断面図である。
【図１０】本発明の第１の実施の形態における折り畳み構造体の斜視図である。
【図１１】本発明の第２の実施の形態におけるヒンジ構造体の斜視図である。
【図１２】本発明の第２の実施の形態における折り畳み構造体の斜視図である。
【図１３】図１２の折り畳み構造体の分解斜視図である。
【図１４】図１２の折り畳み構造体の折り畳み途中の一部の斜視図である。
【図１５】図１２の折り畳み構造体の折り畳み後の一部の斜視図である。
【図１６】本発明の第３の実施の形態におけるヒンジ構造体の分解斜視図である。
【図１７】本発明の第４の実施の形態におけるヒンジ構造体の分解斜視図である。
【図１８】図１７のヒンジ構造体の斜視図である。
【図１９】本発明の第５の実施の形態におけるヒンジ構造体の分解斜視図である。
【図２０】図１９のヒンジ構造体の斜視図である。
【図２１】従来のヒンジ構造体を用いる折り畳み構造体の斜視図である。
【図２２】図２１の折り畳み構造体を折り重ねた状態を示す側面図である。
【図２３】図２２の折り畳み構造体を展開した側面図である。
【発明を実施するための形態】
【００１６】
次に、本発明の第１の実施の形態におけるヒンジ構造体を図１〜図９を参照して説明する。本例のヒンジ構造体１０は、第１被連結体１と、第２被連結体２と、第１固定ピン４と、第２固定ピン５、５と、連結体６、６とからなる（図３参照）。明細書中、縦方向及び横方向は、図１０及び図１２に示す使用状態図における位置及び方向を言う。
【００１７】
第１被連結体１は、本例では板状体であり、接合側の端部には、接合端１５から内側に切り欠かれた第１切欠部１２が形成されている。第１切欠部１２は、本例では、接合側の端部で、且つ折り畳まれる内側角における上下２箇所である。また、第１被連結体１の折り畳まれる内側角は、丸み（アール）形状となっている。これにより、第１被連結体１と第２被連結体２を円滑に折り畳むことができる。また、第１被連結体１には、接合端となる縦辺１５１と直交する横辺１５２、１５２から第１切欠部１２、１２に貫通するピン孔７、７が上下にそれぞれ形成されている。ピン孔７の内径は、第１固定ピン４の外径と同じ又は極僅か小である。
【００１８】
第２被連結体２は、本例では板状体であり、接合側の端部には、１切欠部１２に対応する位置であって、接合端２５から内側に切り欠かれた第２切欠部２２が形成されている。第２切欠部２２は、本例では、接合側の端部２５で、且つ折り畳まれる内側角における上下２箇所である。第１切欠部１２と第２切欠部２２は、連結体６を収納するスペースをつくるものである。また、第２被連結体２の折り畳まれる内側角は、第１被連結体１と同様に、丸み（アール）形状となっている。また、第２被連結体２には、接合端となる縦辺２５１と直交する横辺２５２、２５２から第２切欠部２２、２２に貫通するピン孔８、８が上下にそれぞれ形成されている。ピン孔８の内径は、第２固定ピン５の外径と同じ又は極僅か小である。
【００１９】
第１固定ピン４は、本例では、丸棒部材であり、連結体６を回動自在に支持するものであり、第１被連結体１内に固定され第１切欠部１２を横断する。すなわち、第１固定ピン４は、連結体６の一方の貫通孔である第１ピン孔６１と第１被連結体１のピン孔７を一致させた状態で、ピン孔７から押し込み又は叩き込まれて第１被連結体１内に固定される。第１固定ピン４は、第１切欠部１２の横断長さと第１被連結体１内に埋没する長さの合計長さを有する。
【００２０】
第２固定ピン５は、本例では、丸棒部材であり、連結体６を回動自在に支持するものであり、第２被連結体２内に固定され第２切欠部２２を横断する。すなわち、第２固定ピン５は、連結体６の他方の貫通孔である第２ピン孔６２と第２被連結体２のピン孔８を一致させた状態で、ピン孔８から押し込み又は叩き込まれて第２被連結体２内に固定される。第２固定ピン５は、第２切欠部２２の横断長さと第２被連結体２内に埋没する長さの合計長さを有する。
【００２１】
連結体６、６は、上下２箇所で使用され、第１被連結体１と第２被連結体２を連結するものであり、接合端の辺１５１が延びる方向に貫通する第１固定ピン４が遊嵌する第１ピン孔６１と、第２固定ピン５が遊嵌する第２ピン孔６２を有する。すなわち、連結体６は、第１固定ピン４が遊嵌する第１ピン孔６１と、第２固定ピン５が遊嵌する第２ピン孔６２を有し、第１ピン孔６１に第１固定ピン４が回転自在に挿通され、第２ピン孔６２に第１固定ピン５が回転自在に挿通され、第１固定ピン４と第２固定ピン５を連結する。
【００２２】
連結体６、６は、天面と底面が平面、被連結体の接合端の辺と直交する方向に延びる両側面が平面、他の対峙する両側面がアール形状のものが好ましい。そして、図１に示すように、第１被連結体１と第２被連結体２を接合端で突き合わせ、連結体６を第１切欠部１２及び第２切欠部２２に挿入した際、第１固定ピン４と第２固定ピン５が通るピン孔は一致し、且つ連結体６は、第１被連結体１と第２被連結体２の側面から突出しない形状とする。これにより、第１被連結体１と第２被連結体２が展開した状態において、連結体６は、第１被連結体１と第２被連結体２の側面がつくる面から突出しない。また、連結体６の上下面と第１被連結体１及び連結体６の上下面と第２被連結体２は、極僅かな隙間を有している。これにより、第１被連結体１又は第２被連結体２と連結体６は、大きな摩擦抵抗を受けることなく、動くことができる。
【００２３】
連結体６の第１固定ピン４と第２固定ピン５を結ぶ方向の長さ（ｌ１）は、第１被連結体１の最大厚みと第２被連結体２の最大厚み（ｌ２）の合計寸法より小である。これにより、第１被連結体１と第２被連結体２を折り重ねた際、連結体６は、第１被連結体１と第２被連結体２で形成される先端の接合端面から突出することがない。
【００２４】
連結体６の第１固定ピン４と第２固定ピン５を結ぶ方向と直交する方向の長さ（ｌ３）は、第１被連結体１の最大厚み（ｌ４）又は第２被連結体２の最大厚み（ｌ４）より小である。これにより、第１被連結体１と第２被連結体２を第１被連結体１と第２被連結体２がなす角度が１８０度となるように展開した際、第１被連結体１と第２被連結体２で形成される面から突出することがない。このように、連結体６は、１８０度展開において、第１切欠部１２と第２切欠部２２内に配置されている
【００２５】
次に、ヒンジ構造体１０の組み付け方法を説明する。先ず、第１被連結体１と第２被連結体２を、接合側を対峙させ、突き合わせる。その際、一方の連結体６を、一方の第１切欠部１２及びこれに対応する第２切欠部２２に入れておく。また、他方の連結体６を、他方の第１切欠部１２及びこれに対応する第２切欠部２２に入れておく（図３及び図４）。次いで、一方の第１固定ピン４を第１被連結体１のピン孔７から、一方の第２固定ピン５を第２被連結体２のピン孔８からそれぞれ打ち込む。これにより、第１固定ピン４は、連結体６の第１ピン孔６１に挿通され、第２固定ピン５は、連結体６の第２ピン孔６２に挿通される。また、第１被連結体１及び第２被連結体２を上下逆さとして、他方の第１固定ピン４を第１被連結体１のピン孔７から、他方の第２固定ピン５を第２被連結体２のピン孔８からそれぞれ打ち込む。第１固定ピン４は、連結体６の第１ピン孔６１に挿通され、第２固定ピン５は、連結体６の第２ピン孔６２に挿通される。これにより、ヒンジ構造体１０を得ることができる（図１及び図２）。
【００２６】
ヒンジ構造体１０において、第１固定ピン４が内設された第１被連結体１は、連結体６に対して回転自在であり、連結体６を介して、第２固定ピン５を支点に回転自在である。また、第２固定ピン５が内設され第２被連結体２は、連結体６に対して、回転自在であり、連結体６を介して、第１固定ピン４を支点に回転自在である（図５〜図７）。すなわち、連結体６は２軸を支点に回転自在であり、第１被連結体１と第２被連結体２は、互いに、連結体６に繋がれつつも、１軸支持とは異なる自由な動きができる（図６及び図７）。そして、ヒンジ構造体１０は、第１被連結体１と第２被連結体２は折り重ねた状態（図８）から第１被連結体１と第２被連結体２が１８０度、展開する方向に回転自在である（図１）。
【００２７】
次に、本発明の第１の実施の形態における折り畳み構造体について、図１０を参照して説明する。折り畳み構造体５０は、図１〜図９のヒンジ構造体１０を有する。すなわち、折り畳み構造体５０は、４つの側板２０、２０、１０、１０と底板（天板）３０を有する一方が開口するボックスである。そして、折り畳み構造体５０の４つの側板の中、対峙する一対の側板が、ヒンジ構造体１０である。ヒンジ構造体１０において、底板３０を取り外し、ヒンジ構造体１０の横方向の中央部を内側に押し込めば、ヒンジ構造体１０は内側に折り畳まれ、側板４枚の積層体形状に折り畳むことができる（図１４参照）。また、折り畳み状態にある折り畳み構造体５０において、対峙する側板２０、２０を外側に押し広げれば、ヒンジ構造体１０も１８０度展開でき、四角形枠の側板枠ができる。この側板枠に底板を取り付ければ、収納箱又は陳列台が完成する。
【００２８】
折り畳み構造体５０によれば、側板の二つ折りの構造でありながら、第１被連結体と第２被連結体で形成される外表面からのヒンジ部の突出がない。このため、複数個の横並びの密な設置が可能となる。また、突出部がないため、意匠性に優れ、陳列の演出を高めることができる。
【００２９】
次に、本発明の第２の実施の形態におけるヒンジ構造体について、図１１を参照して説明する。図１１のヒンジ構造体において、図１〜図９のヒンジ構造体と同一構成要素には同一符号を付して、その説明を省略し、異なる点について、主に説明する。すなわち、図１１のヒンジ構造体１０ａにおいて、図１〜図９のヒンジ構造体１０と異なる点は、ヒンジ構造体１０ａの第１被連結体１ａ及び第２被連結体２ａを、略板状体の反接合端からくり抜かれた差し込み溝１６、２６を有する樹脂製の枠体とした点及び縦横長さ比が異なる点である。すなわち、ヒンジ構造体１０ａの第１被連結体１ａ及び第２被連結体２ａは、ヒンジ構造体１０の第１被連結体１及び第２被連結体２に比べて、接合端の辺と直交する辺の長さが小である。また、ヒンジ構造体１０ａは樹脂製であるため、第１固定ピン及び第２固定ピンの打ち込みが容易であり、且つ打ち込まれた後の固定が強固となる。ヒンジ構造体１０ａは、ヒンジ構造体１０と同様の作用効果を奏する。
【００３０】
次に、本発明の第２の実施の形態における折り畳み構造体について、図１２〜図１５を参照して説明する。図１２〜図１５の折り畳み構造体５０ａにおいて、図１０の折り畳み構造体５０と同一構成要素には同一符号を付して、その説明を省略し、異なる点について、主に説明する。すなわち、図１２〜図１５の折り畳み構造体５０ａにおいて、図１０の折り畳み構造体５０と異なる点は、側板であるヒンジ構造体１０を、樹脂製のヒンジ構造体１０ａに木製の側板を嵌合させて複合側板とした点、箱の角の接合を樹脂製の接合体とした点及び天板の設置位置を可変とした点である。
【００３１】
折り畳み構造体５０ａの折り畳み側板６１、６１は、第１側板１８と第２側板１９の２枚を別途、準備し、第１側板１８を第１被連結体１ａに差し込んで嵌め込み、第２側板１９を第２被連結体２ａに差し込んで嵌め込んで得られたものである。すなわち、折り畳み側板６１、６１は、４つの側板が側端部において折り畳み自在に接合された側板枠において、対峙する位置に配置されたものである。
【００３２】
一方の側板６１と一方の側板６２、一方の側板６２と他方の側板６１、他方の側板６１と他方の側板６２及び他方の側板６２と一方の側板６１は、その側端部において、折り畳み自在に接合する樹脂製の公知の接合体７０ｂ、７０ｄ、７０ｃ及び７０ａにより接合されている。また、側板枠の内側で対峙する側板の内面には、天板６４を支持する長尺状の棧部材６３１、６３２が上下方向において、離間して形成されている。上下方向の端部側に形成される棧部材６３１に天板６４を載せれば、深底の収納箱を形成でき、上下方向の中央に形成される棧部材６３２に天板６４を載せれば、浅底の収納箱を形成できる。
【００３３】
折り畳み構造体５０ａは、例えば、収納箱兼用折り畳み陳列台である。すなわち、図１１の状態は、天板６４が上方にあり、天板６４面に商品を載せることで、陳列台を形成することができる。また、図１１の陳列台から収納箱とするには、天板６４を外し、次いで、側板枠を上下逆さとし、下方端近傍にある棧部材６３１に天板６４を載せれば、深底の収納箱が完成する。また、天板６４を外し、次いで、上下方向の中段に位置する棧部材６３２に天板６４を載せれば、浅底の収納箱が完成する。
【００３４】
次に、折り畳み構造体５０ａを折り畳む方法を説明する。折り畳み構造体５０ａを折り畳む方法は、折り畳み構造体５０を折り畳む方法と同じである。すなわち、天板６４を外し、側板６１、６１のヒンジ構造体１０ａの横方向の中央部を内側に押し込めば、ヒンジ構造体１０は内側に折り畳まれ、側板４枚の積層体形状に折り畳むことができる（図１４及び図１５参照）。
【００３５】
折り畳み構造体５０ａによれば、折り畳み構造でありながら、第１被連結体１ａと第２被連結体２ａで形成される外表面からのヒンジ部の突出がない。このため、複数個の横並びで密な設置が可能となる。また、突出部がないため、意匠性に優れ、陳列の演出を高めることができる。
【００３６】
次に、本発明の第３の実施の形態におけるヒンジ構造体について、図１６を参照して説明する。図１６のヒンジ構造体において、図１〜図９のヒンジ構造体と同一構成要素には同一符号を付して、その説明を省略し、異なる点について、主に説明する。すなわち、図１６のヒンジ構造体１０ｂにおいて、図１〜図９のヒンジ構造体１０と異なる点は、第１切欠部及び第２切欠部の形状である。すなわち、ヒンジ構造体１０ｂの第１切欠部１２ａ及び第２切欠部２２ａは、図１〜図９の第１切欠部１２及び第２切欠部２２が、被連結体の接合端の一角に形成されるのに対して、接合端の端面から内側に向けて切り欠かれている。ヒンジ構造体１０ｂにおいても、ヒンジ構造体１０と同様の効果を奏する。
【００３７】
次に、本発明の第４の実施の形態におけるヒンジ構造体について、図１７及び図１８を参照して説明する。図１７及び図１８のヒンジ構造体において、図１〜図９のヒンジ構造体と同一構成要素には同一符号を付して、その説明を省略し、異なる点について、主に説明する。すなわち、図１７及び図１８のヒンジ構造体１０ｃにおいて、図１〜図９のヒンジ構造体１０と異なる点は、第１切欠部（第２切欠部）の形状及び連結体の形状である。すなわち、ヒンジ構造体１０ｃの切欠部１２ｂは、被連結体の接合端の１箇所で、且つ上下方向に長く形成される。そして、連結体６ａは、切欠部１２ｂに対応して上下方向に長いもので且つ１個である。ヒンジ構造体１０ｃにおいても、ヒンジ構造体１０と同様の効果を奏する。
【００３８】
次に、本発明の第５の実施の形態におけるヒンジ構造体について、図１９及び図２０を参照して説明する。図１９及び図２０のヒンジ構造体において、図１〜図９のヒンジ構造体と同一構成要素には同一符号を付して、その説明を省略し、異なる点について、主に説明する。すなわち、図１９及び図２０のヒンジ構造体１０ｄにおいて、図１〜図９のヒンジ構造体１０と異なる点は、第１切欠部（第２切欠部）の形状、連結体及び固定ピンの形状である。すなわち、ヒンジ構造体１０ｄの第１切欠部１２ｄ及び第２切欠部２２ｄは、第１被連結体１ｄ及び第２被連結体２ｄの接合端の上下端の２箇所で、且つ接合端の折り畳まれる内側の角である。また、連結体６ｄ、６ｄは、被貫通の挿入孔６１ｄ、６２ｄが形成されている。また、第１固定ピン４ｄ及び第２固定ピン５ｄは、第１被連結体１ｄ及び第２被連結体２ｄを貫通して、第１切欠部１２ｄ及び第２切欠部２２ｄに頭出しされる長さを有する。ヒンジ構造体１０ｄにおいても、ヒンジ構造体１０と同様の効果を奏する。
【００３９】
本発明は、上記実施の形態に限定されず、種々の変形を採ることができる。ヒンジ構造体１０において、第１被連結体１及び第２被連結体２の第１切欠部１２、第２切欠部２２、ピン孔７、８以外の本体部形状等については、種々の形態及び形状を採ることができる。折り畳み構造体５０、５０ａにおいて、天板（底板）３０は、１枚に限定されず、天板と底板を設けてもよい。
【産業上の利用可能性】
【００４０】
本発明によれば、第１被連結体と第２被連結体を展開した後、第１被連結体と第２被連結体からのヒンジ部の突出がない。このため、収納箱の場合、第１被連結体と第２被連結体の板面は面一となって突出部がなく、複数個の横並びの密な設置が可能となる。また、突出部がないため、意匠性に優れ、陳列の演出を高めることができる。また、折り畳み後は、天板（底板）を除き、側板の折り重ねとなるため、保管収納に好適となる。
【符号の説明】
【００４１】
１    第１被連結体
２    第２被連結体
４    第１固定ピン
５    第２固定ピン
６    連結体
７、８  ピン孔
１０、１０ａ〜１０ｄ、１００    ヒンジ構造体
１２  第１切欠部
２２  第２切欠部
２５  接合端
５０、５０ａ    折り畳み構造体  
６１  第１ピン孔
２  第２ピン孔
【図１】
2018013178.tif 000003
【図２】
2018013178.tif 000004
【図３】
2018013178.tif 000005
【図４】
2018013178.tif 000006
【図５】
2018013178.tif 000007
【図６】
2018013178.tif 000008
【図７】
2018013178.tif 000009
【図８】
2018013178.tif 000010
【図９】
2018013178.tif 000011
【図１０】
2018013178.tif 000012
【図１１】
2018013178.tif 000013
【図１２】
2018013178.tif 000014
【図１３】
2018013178.tif 000015
【図１４】
2018013178.tif 000016
【図１５】
2018013178.tif 000017
【図１６】
2018013178.tif 000018
【図１７】
2018013178.tif 000019
【図１８】
2018013178.tif 000020
【図１９】
2018013178.tif 000021
【図２０】
2018013178.tif 000022
【図２１】
2018013178.tif 000023
【図２２】
2018013178.tif 000024
【図２３】
2018013178.tif 000025